(57)【要約】【課題】凝縮水等の排水をトラップできるトラップ管内に、排水が一時的に滞留した水封部が発生していることを、簡易な構成で検出可能な滞留水判定装置及びこれを備えるコージェネレーションシステムを提供する。【解決手段】滞留水判定装置は、導電性を有する上流管３１と、導電性を有する下流管３２と、電気絶縁性を有し上流管３１と下流管３２とを連結する第１の継手部材３３と、上流管３１に通電可能な第１の電極部５２と、下流管３２に通電可能な第２の電極部５３とを備える。第１の継手部材３３は、下流管３２の上流側開口端３２０と上流管３１の下流側開口端３１０とを離間させた状態で上流管３１と下流管３２とを連結する。判定手段は、第１の電極部５２と第２の電極部５３のそれぞれに対して通電可能に接続されて、第１の電極部５２と第２の電極部５３とが通電状態か否かを判定する。【選択図】図２
2016113989.tif 000002
【特許請求の範囲】
【請求項１】
内燃機関（１）から排出される排気が流れる排気管（１５）に連通し、排水通路を構成するドレン用配管（３）に滞留したドレン水を検出可能な滞留水判定装置であって、
導電性を有し、前記排気管の側から下方に延びる上流管（３１）と、
導電性を有し、前記上流管の側に位置する上流側開口端（３２０）が前記上流管の下流側開口端（３１０）に対して離間して設けられ、前記上流側開口端から下方に延び、さらに上方に折り返すように下方に凸となる通路を構成する下流管（３２；３２Ａ、３２Ｂ）と、
電気絶縁性を有し、前記下流管の前記上流側開口端と前記上流管の前記下流側開口端とを離間させた状態で前記上流管と前記下流管とを連結する第１の継手部材（３３；１３３）と、
前記上流管に対して通電可能に設置される第１の電極部（５２）と、
前記下流管に対して通電可能に設置される第２の電極部（５３）と、
前記第１の電極部と前記第２の電極部のそれぞれに対して通電可能に接続されて、前記第１の電極部と前記第２の電極部とが通電状態か否かを判定する判定手段（５０）と、
を備え、
前記判定手段は、前記第１の電極部と前記第２の電極部とが通電状態である場合には、前記下流管に滞留している滞留水の水位が前記上流管の前記下流側開口端と同等以上の高さ位置にあると判定し、前記第１の電極部と前記第２の電極部とが非通電状態である場合には、前記下流管に滞留している滞留水の水位が前記上流管の前記下流側開口端よりも下方の位置にあると判定することを特徴とする滞留水判定装置。
【請求項２】
前記下流管は、
導電性を有し、下方に凸となる通路を構成する第１の下流管（３２Ａ）と、
導電性を有し、前記第１の下流管の側に位置する上流側開口端（３２２）が前記第１の下流管の下流側開口端（３２１）に対して離間して設けられ、前記上流側開口端から上方に延び、さらに下方に折り返すように上方に凸となる通路を構成する第２の下流管（３２Ｂ）と、
電気絶縁性を有し、前記第２の下流管の前記上流側開口端と前記第１の下流管の前記下流側開口端とを離間させた状態で前記第１の下流管と前記第２の下流管とを連結する第２の継手部材（３４；１３４）と、
を備えて構成され、
さらに前記第２の下流管には、前記第２の下流管に対して通電可能に第３の電極部（５４）が設けられ、
前記判定手段は、
前記第１の電極部と前記第２の電極部と前記第３の電極部とが通電状態である場合には、前記滞留水の水位が、前記上流管の前記下流側開口端及び前記第２の下流管の前記上流側開口端のうち上方に位置する方の部位と同等以上の高さ位置にあると判定し、
前記上流管の前記下流側開口端及び前記第２の下流管の前記上流側開口端のうち下方に位置する方の管に設置された電極部と前記第２の電極部のみが通電状態である場合には、前記滞留水の水位が、前記上方に位置する方の開口端よりも下方の位置にあると判定し、
前記第２の電極部が前記第１の電極部及び前記第３の電極部のいずれにも非通電状態である場合には、前記滞留水の水位が、前記下方に位置する方の開口端よりも下方の位置にあると判定することを特徴とする請求項１に記載の滞留水判定装置。
【請求項３】
前記第１の継手部材（１３３）は、上下方向に延びる側壁の内面（１３３ａ）が、前記下流管の前記上流側開口端と前記上流管の前記下流側開口端の両方から離間するように構成されることを特徴とする請求項１に記載の滞留水判定装置。
【請求項４】
前記第１の継手部材（１３３）は、上下方向に延びる側壁の内面（１３３ａ）が、前記上流管の前記下流側開口端と前記第１の下流管の前記上流側開口端との両方から離間するように構成され、
前記第２の継手部材（１３４）は、上下方向に延びる側壁の内面（１３４ａ）が、前記第１の下流管の前記下流側開口端と前記第２の下流管の前記上流側開口端の両方から離間するように構成されることを特徴とする請求項２に記載の滞留水判定装置。
【請求項５】
電力を生成する発電機（２）と、
前記発電機を駆動する内燃機関（１）と、
前記内燃機関から排出される排気の熱を前記内燃機関の冷却水に回収する排気熱回収器（１２）と、
前記冷却水から熱回収する加熱用熱交換器（１０）と、
前記加熱用熱交換器で前記冷却水と熱交換されて昇温した流体を給湯用または暖房用の熱源として蓄えるタンク（１１）と、
前記排気熱回収器で吸熱された排気が外部に向けて流れる排気通路を構成する排気管（１５）と、
前記排気管と連通する配管であって、排気から分離された水が流下する請求項１から請求項４のいずれか一項に記載の滞留水判定装置（３、５；５、１０３）と、
を備えることを特徴とするコージェネレーションシステム。
【発明の詳細な説明】
【技術分野】
【０００１】
本発明は、内燃機関の排気に含まれる凝縮水をトラップ可能な滞留水判定装置に関する。
【背景技術】
【０００２】
従来、内燃機関等からの排気が流れる排気管には、排気管内で発生する凝縮水等のドレン水をトラップするドレン用配管が連結されている。このドレン用配管は、下に凸のＵ字状部と上に凸の逆Ｕ字状部とが連結されて構成されている。下に凸のＵ字状部にドレン水が滞留すると、ドレン用配管がドレン水によって水封されるため、ドレン用配管を通じで外部に排気が流れ出てしまうことを防止することができる。このように水封部を構成する滞留したドレン水は、水位が上昇して上に凸のＵ字状部の頂部に達すると、頂部を乗り越えて外部に流れ落ちて排水される。
【０００３】
このように排気の排出時に、ドレン用配管に水封部を形成することは、本来、ドレン水を排出するためのドレン用配管を通じた排気の外部流出を防ぐためにも重要である。この水封部は、ドレン用配管内の排気圧力が高くなりすぎると排圧により、滞留したドレン水が押し出されて切れてしまう。これを防ぐため、従来は、ドレン用配管に排気圧スイッチを設け、ある値以上の排気圧力に上昇した場合は、システムを停止するようにしていた。
【０００４】
下に凸のＵ字状の配管内における滞留水の水位を検出する装置として、特許文献１に開示する装置が知られている。この水位検出装置は、バイオハザードクリーンルーム等の排水部に用いられるトラップ構造に搭載されるものである。下に凸のＵ字管部の垂直部には同一高さに二つの接点が設けられ、これらの接点はＵ字管部の内外を貫通し、内端がＵ字管部の内部で互いに対向し、外端がＵ字管部の外部に露出している。下に凸のＵ字管部の垂直部には、このような一組の接点と同様の構成の接点がさらに下方に間隔をあけて二組設けられている。これらの各接点は、Ｕ字管部と密着した状態で設置されており、各接点の取付け位置から滞留水が漏れ出さないようになっている。
【０００５】
これらの、上下に間隔をあけて三組設けられた各組の接点の外方には、Ｕ字管部と同軸である接触環が配置されている。接触環は、その内周面に設けられた一対の接触子が各接点の外端へ選択的に接触可能に構成されている。すなわち、接触環は、各組の接点に対応する位置にＵ字管部の軸方向に移動して、選択的に各接点と接触させることができるように取り付けられる。この接触子は信号ケーブルを介して警報器へ接続されている。
【０００６】
警報器は、一対の接点間の電流変化を検知して警報を発するように構成されている。例えば、滞留水の水位が十分な高さである場合は、警報器は、接触子が接触した最上部の接点が通電状態であることを示す電流値を検出し、すべての組の接点間が滞留水を介して通電することになる。滞留水の水位が低下すると、三組のうち、接触子が接触した接点が水面より上に露出するため、この接点間の電流が変化し、警報器は、これを検知して警報を発するようになる。
【先行技術文献】
【特許文献】
【０００７】
【特許文献１】特開昭５８−１１２００２号公報
【発明の概要】
【発明が解決しようとする課題】
【０００８】
前述の従来技術では、ドレン用配管における水封部の有無を検出するために、排気圧スイッチという高価な検出装置が必要になる。また、もともとドレン配管内に水封部が形成されていない場合には、排気圧が上昇しないため、排気圧スイッチによって水封部の存在を検出できないという問題があった。
【０００９】
特許文献１に開示される装置では、接点、接触環という構成部品が必要であり、さらに、各接点とＵ字管部の取付け位置との間には、漏水しないためのシール構造が必要であるため、水位検出のための構成が複雑になってしまう。さらに、特許文献１の装置は、接触環を付け替えることで三段階の高さの水位を検出することができるが、そのためには接触環の取付け位置を変更するという行為をしなければならない。
【００１０】
そこで、本発明は、前述の問題点に鑑みてなされたものであり、凝縮水等の排水をトラップできるトラップ管内に、排水が一時的に滞留した水封部が発生していることを、簡易な構成で検出可能な滞留水判定装置及びこれを備えるコージェネレーションシステムを提供することを目的とする。
【課題を解決するための手段】
【００１１】
本発明は上記目的を達成するために以下の技術的手段を採用する。なお、特許請求の範囲及びこの項に記載した括弧内の符号は、ひとつの態様として後述する実施形態に記載の具体的手段との対応関係を示す一例であって、本発明の技術的範囲を限定するものではない。
【００１２】
開示された発明のひとつは、内燃機関（１）から排出される排気が流れる排気管（１５）に連通し、排水通路を構成するドレン用配管（３）に滞留したドレン水を検出可能な滞留水判定装置に係る発明であって、
導電性を有し、排気管の側から下方に延びる上流管（３１）と、
導電性を有し、上流管の側に位置する上流側開口端（３２０）が上流管の下流側開口端（３１０）に対して離間して設けられ、上流側開口端から下方に延び、さらに上方に折り返すように下方に凸となる通路を構成する下流管（３２；３２Ａ、３２Ｂ）と、
電気絶縁性を有し、下流管の上流側開口端と上流管の下流側開口端とを離間させた状態で上流管と下流管とを連結する第１の継手部材（３３；１３３）と、
上流管に対して通電可能に設置される第１の電極部（５２）と、
下流管に対して通電可能に設置される第２の電極部（５３）と、
第１の電極部と第２の電極部のそれぞれに対して通電可能に接続されて、第１の電極部と第２の電極部とが通電状態か否かを判定する判定手段（５０）と、
を備え、
判定手段は、第１の電極部と第２の電極部とが通電状態である場合には、下流管に滞留している滞留水の水位が上流管の下流側開口端と同等以上の高さ位置にあると判定し、第１の電極部と第２の電極部とが非通電状態である場合には、下流管に滞留している滞留水の水位が上流管の下流側開口端よりも下方の位置にあると判定することを特徴とする。
【００１３】
この発明によれば、導電性の上流管と下流管とを電気絶縁性の継手部材によって電気絶縁関係を保って連結するドレン用配管を構成し、両配管が通電状態か非通電状態かに応じて、滞留水の水位を少なくとも二段階に検出することができる。また、ドレン水の導電性を利用することによって各配管に設けた電極部同士の非通電状態を検出することで、簡単な構成によってドレン用配管の水封部が十分でないか、または存在しない状態を認識することができる。したがって、従来技術のように、高価な排気圧スイッチを必要とすることなく、水封切れにより不具合を未然に防止することに寄与する。以上のように、この発明によれば、トラップ管内に水封が生じていることを簡易な構成で判断可能な滞留水判定装置を提供できる。
【００１４】
また、下流管は、導電性を有し、下方に凸となる通路を構成する第１の下流管（３２Ａ）と、導電性を有し、第１の下流管の側に位置する上流側開口端（３２２）が第１の下流管の下流側開口端（３２１）に対して離間して設けられ、上流側開口端から上方に延び、さらに下方に折り返すように上方に凸となる通路を構成する第２の下流管（３２Ｂ）と、電気絶縁性を有し、第２の下流管の上流側開口端と第１の下流管の下流側開口端とを離間させた状態で第１の下流管と第２の下流管とを連結する第２の継手部材（３４；１３４）と、を備えて構成される。さらに第２の下流管には、第２の下流管に対して通電可能に第３の電極部（５４）が設けられる。
【００１５】
判定手段は、第１の電極部と第２の電極部と第３の電極部とが通電状態である場合には、滞留水の水位が、上流管の下流側開口端及び第２の下流管の上流側開口端のうち上方に位置する方の部位と同等以上の高さ位置にあると判定する。また、上流管の下流側開口端及び第２の下流管の上流側開口端のうち下方に位置する方の管に設置された電極部と第２の電極部のみが通電状態である場合には、滞留水の水位が、上方に位置する方の開口端よりも下方の位置にあると判定する。また、第２の電極部が第１の電極部及び第３の電極部のいずれにも非通電状態である場合には、滞留水の水位が、下方に位置する方の開口端よりも下方の位置にあると判定することを特徴とする。
【００１６】
この発明によれば、前述の従来技術のように水位の検出位置を検知用部品の付替え等によって変更したりする手間を要することなく、しかも簡単な構成によって滞留水の水位レベルを少なくとも三段階に分けて検出することが可能である。したがって、煩雑な作業や、複雑な構成を排除し、かつ広範囲にわたって水位検出を可能とする滞留水判定装置を提供できる。
【００１７】
また、開示されたに係る発明のひとつは、電力を生成する発電機（２）と、発電機を駆動する内燃機関（１）と、内燃機関から排出される排気の熱を内燃機関の冷却水に回収する排気熱回収器（１２）と、冷却水から熱回収する加熱用熱交換器（１０）と、加熱用熱交換器で冷却水と熱交換されて昇温した流体を給湯用または暖房用の熱源として蓄えるタンク（１１）と、排気熱回収器で吸熱された排気が外部に向けて流れる排気通路を構成する排気管（１５）と、排気管と連通する配管であって、排気から分離された水が流下する、先行する発明に係る滞留水判定装置（３、５；５、１０３）と、を備えることを特徴とするコージェネレーションシステムである。
【００１８】
この発明によれば、コージェネレーションにおける排気管に連通するドレン用配管に、配管間の通電状態、非通電状態に応じて滞留水の水位を検出可能とする機能を持たせることができる。したがって、従来技術のように、高価な排気圧スイッチや複雑な検出用の構造を必要とすることなく、水封切れによる排気流出の不具合を未然に防止できるコージェネレーションを提供できる。
【図面の簡単な説明】
【００１９】
【図１】本発明に係るドレン用配管を備えるガスエンジンシステムの構成を示した概要図である。
【図２】第１実施形態のドレン用配管の構成を示す図面である。
【図３】第１実施形態の滞留水判定装置において、水封部の発生か否かを判定するための制御構成図である。
【図４】第１実施形態のドレン用配管において、第１の継手部材と導電性の管との接続関係を示す部分断面図である。
【図５】第１実施形態において、水封部の発生か否かを判断する制御に関するフローチャートである。
【図６】第２実施形態の滞留水判定装置において、水封部の発生か否かを判定するための制御構成図である。
【図７】第２実施形態のドレン用配管の構成を示す図面である。
【図８】第２実施形態のドレン用配管において、第１の継手部材と導電性の管との接続関係を示す部分断面図である。
【図９】第２実施形態において、水封部の発生か否かを判断する制御に関するフローチャートである。
【発明を実施するための形態】
【００２０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００２１】
（第１実施形態）
開示発明の一実施形態である第１実施形態について、図１〜図５を参照して説明する。第１実施形態の滞留水判定装置は、コージェネレーションシステムの一例としてのガスエンジンシステム１００に適用される。ガスエンジンシステム１００は、ガスを燃料として駆動するエンジンであり、例えば、発電用ガスエンジンでヒートポンプ等の機器を駆動したり、エンジン冷却水で加熱した液体を熱源として用いて、給湯、暖房等を行ったりする。したがって、ガスエンジンシステム１００は、内燃機関等の動力を利用して電力を、排熱を利用して温熱等を取り出し、総合エネルギ効率を高めるエネルギ供給システムである。
【００２２】
図１に示すように、ガスエンジンシステム１００（以下、システム１００ともいう）は、発電機２と、発電機２を駆動する内燃機関の一例であるガスエンジン１と、排気熱回収器１２と、ガスエンジン１の冷却水から熱回収する加熱用熱交換器１０と、を備える。さらにシステム１００は、加熱用熱交換器１０で熱交換されて昇温した湯を蓄えるタンク１１と、排気熱回収器１２で吸熱された排気が外部に向けて流れる排気通路を構成する排気管１５と、排気管１５に設けられた消音器１３及び分離器１４と、を備える。さらにシステム１００は、排気管１５と連通する配管であって、分離器１４で排気から分離された水が流下するドレン用配管３を備える。
【００２３】
ガスエンジン１は、例えば、都市ガス、ＬＰガス（以下、単に「ガス」という）を燃料とする水冷式のエンジンである。ガスエンジン１に供給される吸気とガスは、ミキサで混合される。生成された混合気は燃焼室に流れて点火プラグで点火されると燃焼してピストンを駆動し、ピストンに連結されるクランクシャフトを回転させる。このような動作により、生じた排気は、排気熱回収器１２でガスエンジン１の冷却水と熱交換されて、冷却水を加熱して昇温する。冷却水は、排気熱回収器１２を通り、ガスエンジン１のシリンダブロック等の発熱部位を通ることから、排気熱回収器１２によって排気と熱交換した後、シリンダブロック等の発熱部位と熱交換してガスエンジン１を冷却しつつ、昇温させられる。
【００２４】
発電機２は、クランクシャフトの上端に取り付けられるフライホイールの内側のクランクケース上に固定され、フライホイールとの間で相対回転するとき、交流電力を発電する。発電機２の発電量はエンジンの回転数に比例し、発電機２の出力は、例えば、電子制御ユニット、ＤＣ／ＤＣコンバータ及びインバータを有する電力制御部によって商用電源や電気負荷に送電されたり、蓄電池等に蓄電されたりする。
【００２５】
加熱用熱交換器１０は、２次側循環路１７を流れる流体（例えば、貯湯水）を１次側循環路１６を流れる冷却水と熱交換させて昇温する。加熱用熱交換器１０は、１次側循環路１６と２次側循環路１７とが局部的に接近して熱交換部を形成する。加熱用熱交換器１０において、１次側循環路１６を流れる冷却水は２次側循環路１７を流れる温水に熱を伝えて冷却させられる。１次側循環路１６、２次側循環路１７には、流体を強制的に循環させるためのポンプ１６ａ、ポンプ１７ａがそれぞれ設けられている。
【００２６】
１次側循環路１６０は、ガスエンジン１の冷却水出口から加熱用熱交換器１０を通って排気熱回収器１２に接続される。したがって、ガスエンジン１の発熱部位を通って昇温された冷却水は、ガスエンジン１の冷却水出口から１次側循環路１６を流れて加熱用熱交換器１０で熱交換させられた後、排気熱回収器１２を通り、ガスエンジン１の冷却水入口に戻る。
【００２７】
２次側循環路１７は、タンク１１の下部に位置する出水口から加熱用熱交換器１０を通ってタンク１１の上部に位置する入水口に接続される。したがって、タンク１１の出水口から排出された低温の温水は、加熱用熱交換器１０で昇温されて入水口からタンク１１に戻される。
【００２８】
タンク１１は、密閉式のタンクであり、周囲を断熱材で被覆されている。タンク１１の内部には温水が、上部から下部に向かうにしたがって温水の温度が低下していく層を形成するように貯留される。タンク１１の下部には水道水などの上水が供給される給水口３２ｃが設けられ、上部にはタンク１１の内部に貯留された温水を、例えば台所、風呂等の給湯設備や床下暖房等の暖房機器（熱負荷の一例）に供給するための出湯口が設けられる。
【００２９】
さらに、ガスエンジン１に接続される排気管１５は、ガスエンジン１から排出される排気が外部に向けて流れる排気通路を構成する。排気管１５の途中には、排気熱回収器１２、消音器１３、分離器１４、触媒器が設けられる。排気は、分離器１４において、気体と凝縮水を含む水とに分離され、気体は上方へ延びる管から排出され、水はドレン水として、分離器１４から下方へ延びるドレン用配管３へ流下する。
【００３０】
次に滞留水判定装置について説明する。滞留水判定装置は、ドレン用配管３に滞留した滞留水（ドレン水）を検出する装置である。この滞留水は、ドレン用配管３において、一定量以上滞留すると、排気による圧力がドレン用配管３の内部に作用したとしてもドレン用配管３を介して排気が外部に漏れ出ないように、水封部を構成する。この水封部が形成されていないと、ドレン用配管３を介して排気が外部に漏れ出ることになり、排気が意に反した場所に排出されることになる。この状況を回避するためにも、ドレン用配管３の内部に水封部が形成されているか否かを判定することは重要事項である。
【００３１】
図２に示すように、ドレン用配管３は、ガスエンジン１から排出される排気が流れる排気管１５に連通し、ドレン水の排水通路を構成する。ドレン用配管３は、上流管３１と、第１の継手部材３３と、下流管３２とを備えて構成される。
【００３２】
上流管３１は、排気管１５の側から下方に延びる配管である。上流管３１は、導電性を有し、例えば金属製の配管として構成される。上流管３１には、上流管３１に対して通電可能に第１の電極部５２が設置されている。第１の電極部５２は、制御装置５に電気的に接続されており、第１の電極部５２からの電気信号は制御装置５に入力される。したがって、上流管３１内の通路に滞留水が満たされている場合には滞留水を介して、導電性を有する他の部材や管と電気的に導通するようになる。また、上流管３１は、分離器１４から直接延びる配管であってもよいし、分離器１４から延びる配管に接続されてさらに下方に延びる配管であってもよい。
【００３３】
下流管３２は、第１の継手部材３３を介して上流管３１に連結される配管であり、その上流側開口端３２０から下方に延び、さらに上方に折り返すように下方に凸となる通路を構成する。下流管３２は、この部分において下に凸のＵ字状部を有する。下流管３２は、上流管３１と同様に導電性を有し、例えば金属製の配管として構成される。下流管３２は、上流管３１の側に位置する上流側開口端３２０が上流管３１の下流側開口端３１０に対して離間するように設けられている。したがって、上流側開口端３２０は、下流側開口端３１０よりも下方に位置するように離れている。
【００３４】
下流管３２には、下流管３２に対して通電可能に第２の電極部５３が設置されている。第２の電極部５３は、制御装置５に電気的に接続されており、第２の電極部５３からの電気信号は制御装置５に入力される。したがって、下流管３２内の通路に満たされている滞留水が上流管３１に接触する水位を有する場合には、滞留水を介して、下流管３２と上流管３１とが電気的に導通するようになる。
【００３５】
第１の継手部材３３は、下流管３２と上流管３１とを間隔をあけた状態で固定して連結する部材であり、電気絶縁性を有する材料で構成されている。第１の継手部材３３は、電気絶縁性の樹脂、ゴム等で構成される。さらに第１の継手部材３３は、可撓性を有し、外力により容易に変形する部材であってもよい。これによれば、ドレン用配管３の形状を変更しやすく、設置位置の調整や取付作業を実施しやすい。
【００３６】
第１の継手部材３３は、両端が開口した筒状部材である。第１の継手部材３３の内周面の形状は、上流管３１の下流側開口端３１０と下流管３２の上流側開口端３２０の外周形状と同じ形状に形成されている。第１の継手部材３３は、一方の開口端から内挿された上流管３１の外周面と一方の開口端付近の内周面とが密着するように、上流管３１を保持して固定する。第１の継手部材３３は、他方の開口端から内挿された下流管３２の外周面と他方の開口端付近の内周面とが密着するように、下流管３２を保持して固定する。このとき、下流側開口端３１０と上流側開口端３２０とに所定の間隔があいているため、滞留水の水位が下流側開口端３１０よりも下方にある場合は、上流管３１と下流管３２は電気的に導通していない。水位が下流側開口端３１０と同等以上の高さにある場合は、上流管３１と下流管３２は電気的に導通することになる。
【００３７】
また、下流管３２は、少なくとも下に凸のＵ字状部を有するが、下に凸のＵ字状部よりも下流側に、上に凸の逆Ｕ字状部を有してもよいし、有さない構造でもよい。すなわち、ドレン水が外部に流出する下流側開口端の高さ位置が、下に凸のＵ字状部の最も高い位置にある最高部よりも低い位置にある場合は、図２のように上に凸の逆Ｕ字状部を有することになる。下に凸のＵ字状部に滞留した滞留水は、その水位が下に凸のＵ字状部の最高部よりも高くなると当該最高部を乗り越えて下流側開口端から外部に流出するようになる。
【００３８】
滞留水判定装置について、水封部の発生か否かを判定するための制御に関して説明する。滞留水判定装置は、水封部の発生か否かを判定する制御装置５を備える。制御装置５は、演算処理や制御処理を行うＣＰＵ（中央演算装置）、ＲＯＭやＲＡＭ等のメモリ、及びＩ／Ｏポート（入力／出力回路）等の機能を含んで構成されるマイクロコンピュータを備えている。制御装置５は、第１の電極部５２、第２の電極部５３からの電気信号、ガスエンジン１の状態を示す信号、機器の状態を示す室内リモコンからの信号等が入力される入力回路を備える。制御装置５は、判定手段を構成する演算回路部であり、入力部に入力された各種信号に基づく各種情報と演算プロプラム等を用いた所定の演算や判定を実行する判定部５０を備える。制御装置５は、判定部５０による判定結果に応じて、ガスエンジン１の運転、停止を制御し、室内リモコン６等に所定の表示や警報を発生させる作動制御部５１を備える。作動制御部５１は、各種機器の作動を制御する出力回路を構成する。
【００３９】
第１の継手部材３３は、図４に図示する第１の継手部材１３３のような形状としてもよい。第１の継手部材１３３は、箱体状であり、上下方向に互いに対向する上壁１３３ｂ及び下壁１３３ｃと、上壁１３３ｂと下壁１３３ｃとを連絡する、上下方向に延びる側壁とを備えて構成される箱体状である。上下方向に延びる側壁は、上壁１３３ｂの外周縁と下壁１３３ｃの外周縁とを接続して、第１の継手部材１３３の内部空間を取り囲むように設けられる。
【００４０】
上流管３１は、下流側開口端３１０が上壁１３３ｂよりも下方に位置して、上壁１３３ｂを貫通する形態で上壁１３３ｂに固定されている。下流管３２は、上流側開口端３２０が下壁１３３ｃよりも上方に位置して、下壁１３３ｃを貫通する形態で下壁１３３ｃに固定されている。さらに、上下方向の側壁の内面１３３ａは、下流管３２の上流側開口端３２０と上流管３１の下流側開口端３１０の両方から離間するように構成される。したがって、第１の継手部材１３３における側壁の内周面は、上流側開口端３２０と下流側開口端３１０の両方から離間するとともに、下流管３２及び上流管３１の各開口端における外周部分の外方に位置する。
【００４１】
次に、第１実施形態の滞留水判定装置による、水封部の発生か否かを判断する制御について、図５のフローチャートを参照して説明する。本フローチャートは、制御装置５に電源が投入されている状態で開始され、制御装置５によって実行される。本フローチャートは、予め定めた時間間隔で繰り返し行われる。すなわち、本フローチャートが一旦終了すると、所定時間経過後に再びステップ１０以降の処理が実行されることになる。
【００４２】
本フローチャートが開始されると、まずステップ１０で、ガスエンジン１からの起動指令が入力されたか否かを判定する。ステップ１０の判定処理は、ガスエンジン１からの起動指令が入力されるまで繰り返される。ステップ１０でガスエンジン１からの起動指令が入力されたと判定すると、次にステップ２０で制御装置５は、第１の電極部５２、第２の電極部５３のそれぞれからの電気信号を取得する。
【００４３】
制御装置５における判定部５０は、ステップ３０でドレン用配管３における滞留水の水位が図２に図示するＨレベル以上か否かを判定する。判定部５０は、各電極部から取得する電気信号を用いて、滞留水の水位レベルを第１の電極部５２と第２の電極部５３とを流れる電流レベルに基づいて判定する。例えば、判定部５０は、第１の電極部５２と第２の電極部５３とを導通する電流値が所定の導通閾値よりも大きい場合は、第１の電極部５２と第２の電極部５３とが通電状態であると判定する。このように通電状態である場合は、上流管３１と下流管３２とが通電しているため、第１の継手部材３３において離間している両方の管が第１の継手部材３３の内部を満たす滞留水によって電気的に導通していることになる。したがって、滞留水の水位が上流管３１の下流側開口端３１０と同等以上の高さにあることになり、制御装置５はステップ３０で滞留水の水位がＨレベル以上であると判定する。
【００４４】
また、判定部５０は、第１の電極部５２と第２の電極部５３とを導通する電流値が所定の導通閾値以下である場合は、第１の電極部５２と第２の電極部５３とが非通電状態であると判定する。このように非通電状態である場合は、上流管３１と下流管３２とが通電していないため、上流管３１の下流側開口端３１０が滞留水に接触していないことになる。したがって、滞留水の水位が上流管３１の下流側開口端３１０よりも低い位置にあるか、滞留水が全く存在していないことになり、制御装置５はステップ３０で滞留水の水位がＬレベル以下であると判定する。
【００４５】
ステップ３０で滞留水の水位がＬレベル以下であると判定すると、作動制御部５１は、ステップ４０で室内リモコン６に対して補水すべき旨の命令を表示し、または発音する処理を実行する。さらに作動制御部５１は、ステップ５０でガスエンジン１の起動を停止する処理を実行し、本フローチャートを終了する。この補水命令に応じて、室内リモコン６は、「補水」を示す文字、マークを表示したり、ＬＥＤランプを点灯、点滅したり、「補水」を促す音声や警報音を発音したりする。この補水命令を受けて、使用者、メンテナンス作業者等は、ドレン用配管３に流れるように水を補水する。補水によって滞留水の水位がＨレベル以上になると、ステップ３０でＹＥＳと判定されてステップ６０の処理が実行されることになる。
【００４６】
ステップ３０で滞留水の水位がＨレベル以上であると判定すると、ガスエンジン１の運転によってドレン用配管３を通じて排気が排出されないため、作動制御部５１は、ステップ６０でガスエンジン１を起動する処理を実行する。次にステップ７０では、ガスエンジン１の運転中に、ドレン用配管３における滞留水の水位がＨレベル以上か否かを判定する。ステップ７０では、前述のステップ３０と同様の判定処理が行われる。ガスエンジン１の運転は、ステップ７０で滞留水の水位がＨレベル以上であると判定している間は継続される。
【００４７】
ステップ７０で、滞留水の水位がＨレベル以上でないと判定すると、作動制御部５１は、ステップ８０でガスエンジン１の運転を停止する処理を実行する。さらに作動制御部５１は、ステップ９０で、室内リモコン６に対して補水すべき旨の命令を表示し、または発音する処理を実行し（前述のステップ４０と同じ処理）、本フローチャートを終了する。
【００４８】
次に、第１実施形態の滞留水判定装置がもたらす作用効果について説明する。滞留水判定装置は、第１の電極部５２と第２の電極部５３のそれぞれに対して通電可能に接続されて、第１の電極部５２と第２の電極部５３とが通電状態か否かを判定する判定手段を備える。この判定手段は、第１の電極部５２と第２の電極部５３とが通電状態である場合には、下流管３２に滞留している滞留水の水位が上流管３１の下流側開口端３１０と同等以上の高さ位置にあると判定する。また、判定手段は、第１の電極部５２と第２の電極部５３とが非通電状態である場合には、下流管３２に滞留している滞留水の水位が下流側開口端３１０よりも下方の位置にあると判定する。
【００４９】
この構成によれば、導電性の上流管３１及び下流管３２を電気絶縁性の第１の継手部材３３によって電気絶縁関係を保って連結するドレン用配管３を構成することができる。上流管３１と下流管３２とが通電状態か非通電状態かに応じて、滞留水の水位を少なくとも二段階にわけて検出することができる。また、ドレン水が電気を通すという性質を利用して、各配管に設けた電極部同士の非通電状態を検出することにより、ドレン用配管３の水封部が不十分か、または切れている状態を確実かつ簡単な制御処理で複雑な機構を必要としない構成によって検出できる。したがって、第１実施形態の滞留水判定装置は、従来技術のように、高価な排気圧スイッチ等を必要とすることなく、水封切れにより不具合を未然に防止することに貢献できる。
【００５０】
また、第１の継手部材１３３は、上下方向に延びる側壁の内面１３３ａが、下流管３２の上流側開口端３２０と上流管３１の下流側開口端３１０の両方から離間するように構成されることが好ましい。この構成によれば、下流側開口端３１０から下方に垂れるドレン水が第１の継手部材１３３の側壁を伝わないで、上流側開口端３２０に落下するようになる。このため、第１の継手部材１３３の側壁を濡らすドレン水が導通経路となって、上流管３１と下流管３２とが電気的につながってしまうことを防止できる。したがって、滞留水の水位が上流管３１の内部にまで上昇したときに、上流管３１と下流管３２との通電状態を確実に検出できる滞留水判定装置を提供できる。
【００５１】
また、ガスエンジンシステム１００によれば、排気管１５に連通するドレン用配管３に、配管間の通電状態、非通電状態に応じて滞留水の水位を検出可能とする機能を持たせることができる。水位の検出結果から、水封部が十分な状態でない場合には、水をドレン用配管３に補給することを促すことができ、排気流出の不具合を未然に防止することが可能である。したがって、従来技術のように、高価な排気圧スイッチや複雑な検出用の構造を必要とすることなく、水封切れによる不具合を未然に防止可能なコージェネレーションシステムを提供できる。
【００５２】
（第２実施形態）
第２実施形態では、第１実施形態で説明したドレン用配管３及び滞留水検出制御に対する他の実施形態について図６〜図９を参照して説明する。各図において前述の図面と同じ符号を付した構成は同様の構成であり、同様の作用効果を奏する。以下に、第１実施形態とは異なる内容についてのみ説明する。
【００５３】
図６に示すように、制御装置５は、第１の電極部５２、第２の電極部５３に加え、第３の電極部５４からの電気信号、ガスエンジン１の状態を示す信号、機器の状態を示す室内リモコンからの信号等が入力される入力回路を備える。
【００５４】
図７に示すように、ドレン用配管１０３は、ガスエンジン１から排出される排気が流れる排気管１５に連通し、ドレン水の排水通路を構成する。ドレン用配管１０３は、上流管３１と、下流管としての第１の下流管３２Ａと、第１の継手部材３３と、下流管としての第２の下流管３２Ｂと、第２の継手部材３４と、を備えて構成される。
【００５５】
第１の下流管３２Ａは、第１の継手部材３３を介して上流管３１に連結される配管であり、その上流側開口端３２０から下方に延び、さらに上方に折り返すように下方に凸となる通路を構成する。第１の下流管３２Ａは、上流管３１と同様に導電性を有し、例えば金属製の配管として構成される。第１の下流管３２Ａは、上流管３１の側に位置する上流側開口端３２０が上流管３１の下流側開口端３１０に対して離間するように設けられている。
【００５６】
第１の下流管３２Ａには、第１の下流管３２Ａに対して通電可能に第２の電極部５３が設置されている。したがって、第１の下流管３２Ａ内の通路に満たされている滞留水が上流管３１に接触する水位を有する場合には、滞留水を介して、第１の下流管３２Ａと上流管３１とが電気的に導通するようになる。
【００５７】
第１の継手部材３３は、第１の下流管３２Ａと上流管３１とを間隔をあけた状態で固定して連結する部材であり、電気絶縁性を有する材料で構成されている。したがって、水位が下流側開口端３１０と同等以上の高さにある場合は、上流管３１と第１の下流管３２Ａは電気的に導通することになる。
【００５８】
第２の下流管３２Ｂは、第２の継手部材３４を介して第１の下流管３２Ａに連結される配管であり、その上流側開口端３２２から上方に延び、さらに下方に折り返すように上方に凸となる通路を構成する。第２の下流管３２Ｂは、この部分において上に凸の逆Ｕ字状部を有する。第２の下流管３２Ｂは、上流管３１や第１の下流管３２Ａと同様に導電性を有し、例えば金属製の配管として構成される。第２の下流管３２Ｂは、第１の下流管３２Ａの側に位置する上流側開口端３２２が第１の下流管３２Ａの下流側開口端３２１に対して離間するように設けられている。したがって、上流側開口端３２２は、下流側開口端３２１よりも上方に位置するように離れている。
【００５９】
第２の下流管３２Ｂには、第２の下流管３２Ｂに対して通電可能に第３の電極部５４が設置されている。第３の電極部５４は、制御装置５に電気的に接続されており、第３の電極部５４からの電気信号は制御装置５に入力される。したがって、第１の下流管３２Ａ内の通路に満たされている滞留水が第２の下流管３２Ｂに接触する水位を有する場合には、滞留水を介して、第１の下流管３２Ａと第２の下流管３２Ｂと上流管３１とが電気的に導通するようになる。
【００６０】
第２の継手部材３４は、第１の下流管３２Ａと第２の下流管３２Ｂとを間隔をあけた状態で固定して連結する部材であり、電気絶縁性を有する材料で構成されている。第２の継手部材３４は、電気絶縁性の樹脂、ゴム等で構成される。さらに第２の継手部材３４は、可撓性を有し、外力により容易に変形する部材であってもよい。これによれば、ドレン用配管１０３の形状を変更しやすく、設置位置の調整や取付作業を実施しやすい。
【００６１】
第２の継手部材３４は、両端が開口した筒状部材である。第２の継手部材３４の内周面の形状は、第１の下流管３２Ａの下流側開口端３２１と第２の下流管３２Ｂの上流側開口端３２２の外周形状と同じ形状に形成されている。第２の継手部材３４は、一方の開口端から内挿された第１の下流管３２Ａの外周面と一方の開口端付近の内周面とが密着するように、第１の下流管３２Ａを保持して固定する。第２の継手部材３４は、他方の開口端から内挿された第２の下流管３２Ｂの外周面と他方の開口端付近の内周面とが密着するように、第２の下流管３２Ｂを保持して固定する。このとき、下流側開口端３２１と上流側開口端３２２とに所定の間隔があいているため、滞留水の水位が上流側開口端３２２よりも下方にある場合は、第１の下流管３２Ａと第２の下流管３２Ｂは電気的に導通していない。水位が上流側開口端３２２と同等以上の高さにある場合は、第１の下流管３２Ａと第２の下流管３２Ｂは電気的に導通することになる。
【００６２】
また、下に凸のＵ字状部である第１の下流管３２Ａに滞留した滞留水は、その水位が上に凸のＵ字状部である第２の下流管３２Ｂの最高部よりも高くなると当該最高部を乗り越えて第２の下流管３２Ｂの下流側開口端から外部に流出するようになる。
【００６３】
また、第２の継手部材３４は、図８に図示する第２の継手部材１３４のような形状としてもよい。第２の継手部材１３４は、箱体状であり、上下方向に互いに対向する上壁１３４ｂ及び下壁１３４ｃと、上壁１３４ｂと下壁１３４ｃとを連絡する、上下方向に延びる側壁とを備えて構成される箱体状である。上下方向に延びる側壁は、上壁１３４ｂの外周縁と下壁１３４ｃの外周縁とを接続して、第２の継手部材１３４の内部空間を取り囲むように設けられる。
【００６４】
第２の下流管３２Ｂは、上流側開口端３２２が上壁１３４ｂよりも下方に位置して、上壁１３４ｂを貫通する形態で上壁１３４ｂに固定されている。第１の下流管３２Ａは、下流側開口端３２１が下壁１３４ｃよりも上方に位置して、下壁１３４ｃを貫通する形態で下壁１３４ｃに固定されている。さらに、上下方向の側壁の内面１３４ａは、第２の下流管３２Ｂの上流側開口端３２２と第１の下流管３２Ａの下流側開口端３２１の両方から離間するように構成される。したがって、第２の継手部材１３４における側壁の内周面は、上流側開口端３２２と下流側開口端３２１の両方から離間するとともに、第１の下流管３２Ａ及び第２の下流管３２Ｂの各開口端における外周部分の外方に位置する。
【００６５】
次に、第２実施形態の滞留水判定装置による、水封部の発生か否かを判断する制御について、図９のフローチャートを参照して説明する。第２実施形態における滞留水検出制御では、ドレン用配管１０３に滞留する滞留水の水位を３段階（Ｈレベル、Ｍレベル、Ｌレベル）に分けて検出することが可能である。
【００６６】
図９のフローチャートは、図５のフローチャートに対して、ステップ１２０の判定処理と、ステップ１２０でＮＯと判定した場合の以降の処理と、ステップ１７０の判定処理とが相違する。図９におけるステップ１００、１１０、１３０、１５０、１６０、１８０、１９０は、それぞれ、図５のステップ１０、２０、３０、４０、５０、６０、８０、９０に対応する。第１実施形態の図５のステップと対応する関係にある図９のステップは、第１実施形態と同様の処理を実行し、同様の作用効果を奏するものである。
【００６７】
判定部５０は、ステップ１２０でドレン用配管１０３における滞留水の水位が図７に図示するＨレベル以上か否かを判定する。判定部５０は、各電極部から取得する電気信号を用いて、滞留水の水位レベルを第１の電極部５２と第２の電極部５３と第３の電極部５４を流れる電流レベルに基づいて判定する。例えば、判定部５０は、第１の電極部５２と第３の電極部５４とを導通する電流値が所定の導通閾値よりも大きい場合は、第１の電極部５２と第２の電極部５３と第３の電極部５４のすべてが通電状態であると判定する。
【００６８】
このように通電状態である場合は、上流管３１と第２の下流管３２Ｂとが通電しているため、滞留水で満たされた第１の継手部材３３や第２の継手部材３４１を介して上流管３１と第１の下流管３２Ａと第２の下流管３２Ｂとが電気的に導通していることになる。したがって、滞留水の水位が、第２の下流管３２Ｂの上流側開口端３２２と同等以上の高さにあることになり、制御装置５はステップ１２０で滞留水の水位がＨレベル以上であると判定する。
【００６９】
また、判定部５０は、第１の電極部５２と第３の電極部５４とを導通する電流値が所定の導通閾値以下である場合は、第１の電極部５２と第３の電極部５４とが非通電状態であると判定する。このように非通電状態である場合は、上流管３１と第２の下流管３２Ｂとが通電していないため、上流側開口端３２２が滞留水に接触していないことになる。したがって、滞留水の水位が上流側開口端３２２よりも低い位置にあることになり、制御装置５はステップ１２０で滞留水の水位がＭレベル以下であると判定する。
【００７０】
ステップ１２０で滞留水の水位がＭレベル以下であると判定すると、作動制御部５１は、ステップ１３０で室内リモコン６に対して補水すべき旨の命令を表示し、または発音する処理を実行し、ステップ１４０に進む。
【００７１】
ステップ１４０では、ドレン用配管１０３における滞留水の水位が図７に図示するＭレベル以上か否かを判定する。判定部５０は、各電極部から取得する電気信号を用いて、滞留水の水位レベルを第１の電極部５２と第２の電極部５３とを流れる電流レベルに基づいて判定する。例えば、判定部５０は、第１の電極部５２と第２の電極部５３とを導通する電流値が所定の導通閾値よりも大きい場合は、第１の電極部５２と第２の電極部５３とが通電状態であると判定する。
【００７２】
このように通電状態である場合は、上流管３１と第１の下流管３２Ａとが通電しているため、滞留水で満たされた第１の継手部材３３を介して上流管３１と第１の下流管３２Ａとが電気的に導通していることになる。したがって、滞留水の水位が、第２の下流管３２Ｂの上流側開口端３２２より下方であって、上流管３１の下流側開口端３１０と同等以上の高さにあることになり、制御装置５はステップ１４０で滞留水の水位がＭレベルであると判定する。
【００７３】
また、判定部５０は、第１の電極部５２と第２の電極部５３とを導通する電流値が所定の導通閾値以下である場合は、第１の電極部５２と第２の電極部５３とが非通電状態であると判定する。このように非通電状態である場合は、上流管３１と第１の下流管３２Ａとが通電していないため、下流側開口端３１０が滞留水に接触していないことになる。したがって、滞留水の水位が下流側開口端３１０よりも低い位置にあることになり、制御装置５はステップ１４０で滞留水の水位がＬレベル以下であると判定する。
【００７４】
ステップ１４０で滞留水の水位がＭレベルであると判定すると、次にステップ１６０に進み、作動制御部５１は、ガスエンジン１を起動する処理を実行する。また、ステップ１４０で滞留水の水位がＬレベル以下であると判定すると、作動制御部５１は、ステップ１５０でガスエンジン１の起動を停止する処理を実行し、本フローチャートを終了する。
【００７５】
ステップ１６０でガスエンジン１が起動された後の運転中には、ステップ１７０で、ドレン用配管１０３における滞留水の水位がＭレベル以上か否かを判定する。このステップ１７０では、前述したステップ１４０と同様の判定処理を実行する。ガスエンジン１の運転は、ステップ１７０で滞留水の水位がＭレベル以上であると判定している間は継続される。
【００７６】
ステップ１７０で、滞留水の水位がＭレベル以上でないと判定すると、作動制御部５１は、ステップ１８０でガスエンジン１の運転を停止する処理を実行する。さらに作動制御部５１は、ステップ１９０で、室内リモコン６に対して補水すべき旨の命令を表示し、または発音する処理を実行し（前述のステップ１３０と同じ処理）、本フローチャートを終了する。
【００７７】
以上のように、第２実施形態の滞留水検出制御においては、滞留水の水位がＨレベルである場合には、第１の電極部５２、第２の電極部５３及び第３の電極部５４のすべてが、滞留水を介して導通する。また、滞留水の水位がＭレベルである場合には、第１の電極部５２と第２の電極部５３とが、滞留水を介して導通する。また、滞留水の水位がＬレベルである場合には、第１の電極部５２、第２の電極部５３及び第３の電極部５４のいずれも他の電極部と導通しないことになる。
【００７８】
また、第２実施形態の滞留水検出制御では、上流管３１の下流側開口端３１０を、第２の下流管３２Ｂの上流側開口端３２２よりも上方に位置するように設置した場合には、Ｈレベルの境界位置は、下流側開口端３１０に設定されることになる。この構成では、検出した滞留水の水位がＨレベルであるときは下流側開口端３１０と同等以上の高さ位置に水位が存在し、Ｍレベルであるときは下流側開口端３１０よりも下方であって、上流側開口端３２２と同等以上の高さ位置に水位が存在することになる。
【００７９】
次に、第２実施形態の滞留水判定装置がもたらす作用効果について説明する。滞留水判定装置の下流管は、第１の下流管３２Ａと、第２の下流管３２Ｂと、第２の継手部材３４、１３４と、を備えて構成される。第１の下流管３２Ａは、導電性を有し、下方に凸となる通路を構成する。第２の下流管３２Ｂは、導電性を有し、第１の下流管３２Ａの側に位置する上流側開口端３２２が第１の下流管３２Ａの下流側開口端３２１に対して離間して設けられ、上流側開口端３２２から上方に延び下方に折り返すように上方に凸となる通路を構成する。第２の継手部材３４、１３４は、電気絶縁性を有し、第２の下流管３２Ｂの上流側開口端３２２と第１の下流管３２Ａの下流側開口端３２１とを離間させた状態で第１の下流管３２Ａと第２の下流管３２Ｂとを連結する。さらに第２の下流管３２Ｂには、第２の下流管３２Ｂに対して通電可能に第３の電極部５４が設けられる。
【００８０】
さらに判定部５０は、すべての電極部５２、５３、５４とが通電状態である場合には、滞留水の水位が、上流管３１の下流側開口端３１０及び第２の下流管３２Ｂの上流側開口端３２２のうち上方に位置する方の部位と同等以上の高さ位置にあると判定する。判定部５０は、下流側開口端３１０及び上流側開口端３２２のうち下方に位置する方の管に設置された電極部と第２の電極部５３のみが通電状態である場合には、滞留水の水位が、上方に位置する方の開口端よりも下方の位置にあると判定する。また判定部５０は、第２の電極部５３が第１の電極部５２及び第３の電極部５４のいずれにも非通電状態である場合には、滞留水の水位が、下方に位置する方の開口端よりも下方の位置にあると判定する。
【００８１】
第２実施形態の滞留水判定装置によれば、水位の検出位置を検知用部品の付替え等によって変更したりする手間を必要とせず、しかも簡単な構成によって少なくとも三段階に分けた水位検出を実現できる。すなわち、煩雑な設定作業や、複雑な構成を排除し、かつきめ細かい水位検出を可能とする滞留水判定装置を提供できる。
【００８２】
また、滞留水判定装置は、第１の継手部材１３３と第２の継手部材３４とを備える。第２の継手部材３４は、上下方向に延びる側壁の内面１３４ａが、第１の下流管３２Ａの下流側開口端３２１と第２の下流管３２Ｂの上流側開口端３２２の両方から離間するように構成されることが好ましい。この構成によれば、上流側開口端３２２から下方に垂れるドレン水が第２の継手部材３４の側壁内面を伝わないで、下流側開口端３２１に落下するようになる。このため、第２の継手部材３４の側壁内面を濡らすドレン水が導通経路となって、第１の下流管３２Ａと第２の下流管３２Ｂとが電気的につながってしまうことを防止できる。したがって、滞留水の水位が第２の下流管３２Ｂの内部にまで進入したときに、第１の下流管３２Ａと第２の下流管３２Ｂとの通電状態を確実に検出できる滞留水判定装置を提供できる。
【００８３】
（他の実施形態）
以上、開示された発明の好ましい実施形態について説明したが、開示された発明は上述した実施形態に何ら制限されることなく、種々変形して実施することが可能である。前述の実施形態の構造は、あくまで例示であって、開示された発明の技術的範囲はこれらの記載の範囲に限定されるものではない。開示された発明の技術的範囲は、特許請求の範囲の記載によって示され、さらに特許請求の範囲の記載と均等の意味及び範囲内での全ての変更を含むものである。
【００８４】
開示発明に含まれるコージェネレーションシステムは、前述の実施形態で説明するガスエンジンシステム１００に限定されない。このコージェネレーションシステムは、電力を生み出しつつ、廃熱を熱源として給湯用、暖房用、機器の運転に活用するシステムであり、内燃機関を駆動するための燃料はガスに限定されない。
【００８５】
前述の実施形態において、補水命令があったときには、使用者、メンテナンス作業者等による補水作業が行われる他、自動で補水が行われるように、自動補水機能を有するシステム１００を構成するようにしてもよい。
【符号の説明】
【００８６】
１…ガスエンジン（内燃機関）、  ３…ドレン用配管
１５…排気管、  ３１…上流管、  ３２…下流管
３３…第１の継手部材
５０…判定部（判定手段）
５２…第１の電極部、  ５３…第２の電極部
３１０…下流側開口端
３２０…上流側開口端
【図１】
2016113989.tif 000003
【図２】
2016113989.tif 000004
【図３】
2016113989.tif 000005
【図４】
2016113989.tif 000006
【図５】
2016113989.tif 000007
【図６】
2016113989.tif 000008
【図７】
2016113989.tif 000009
【図８】
2016113989.tif 000010
【図９】
2016113989.tif 000011